(57)【特許請求の範囲】
【請求項１】
無線基地局から同時に複数の宛先に向けて送信されるコンテンツを受信するコンテンツ受信部と、
前記コンテンツ受信部が受信した前記コンテンツを再生するコンテンツ再生部と、
前記コンテンツ再生部によって再生されるコンテンツを表示する表示部と、を備え、
前記表示部は、前記コンテンツ再生部によって再生されているコンテンツの現在の受信に対応する再生位置を表示するとともに、現在の受信に対応する再生位置よりも後に位置する記憶しているコンテンツの部分を既受信部分として表示することを特徴とする無線通信装置。
【請求項２】
受信したコンテンツを表示する装置の表示方法であって、
前記装置が、再生されているコンテンツの現在の受信に対応する再生位置を表示するとともに、現在の受信に対応する再生位置よりも後に位置する記憶しているコンテンツの部分を既受信部分として表示することを特徴とする方法。
【発明の詳細な説明】
【技術分野】
【０００１】
本発明は、無線基地局から複数の宛先に向けて送信されたコンテンツを再生する無線通信装置、及び当該コンテンツの再生位置を表示する再生位置表示方法に関する。
【背景技術】
【０００２】
符号分割多元接続（ＣＤＭＡ）を用いた移動体通信システムでは、高速なデータ通信機能、例えば、1xEV-DO（1x evolution - data only）を用いた様々な通信サービスが提供されている。
【０００３】
また、近年では、1xEV-DOが用いられる移動体通信システムにおいて、動画像などによって構成されるコンテンツを、通信チャネル（例えば、トラフィックチャネル）を用いて同時に複数の無線通信装置（例えば、無線通信端末や、カーナビゲーションシステムに接続される無線通信カードモジュールなど）に向けて送信するＢＣＭＣＳ（broadcast/multicast services）も提供されている（例えば、非特許文献１）。
【０００４】
ＢＣＭＣＳでは、無線通信装置からのコンテンツ送信要求に応じて、或いはコンテンツの送信スケジュールにしたがって、コンテンツが通信チャネルを用いて無線基地局から送信される。
【０００５】
また、既にコンテンツの送信が開始されている場合、無線通信装置は、ブロードキャスト（またはマルチキャスト）によって当該コンテンツを受信し、当該コンテンツの途中から再生を開始する。
【非特許文献１】“CDMA2000 High Rate Broadcast-Multicast Packet Data Air Interface Specification (C.S0054-0 Version 1.0) - Section 1.4: Broadcast Channels”、３ＧＰＰ２、２００４年２月
【発明の開示】
【発明が解決しようとする課題】
【０００６】
上述したように、無線通信装置は、ブロードキャスト（またはマルチキャスト）によって既に送信が開始されている当該コンテンツを受信し、当該コンテンツの途中から再生を開始する。
【０００７】
この場合、無線通信装置のユーザは、当該コンテンツの全体（先頭〜最後尾）の中における現在の再生位置を認識することが難しいといった問題があった。
【０００８】
そこで、本発明は、このような状況に鑑みてなされたものであり、複数の宛先に向けて送信される同一のコンテンツを受信して再生する場合において、当該コンテンツの全体の中における現在の再生位置を表示することができる無線通信装置及び再生位置表示方法を提供することを目的とする。
【課題を解決するための手段】
【０００９】
上述した問題を解決するため、本発明は、次のような特徴を有している。まず、本発明の第１の特徴は、複数の単位コンテンツ（単位コンテンツＵ）から構成され、無線基地局（例えば、無線基地局１１０Ａ）から同時に複数の宛先に向けて送信されるコンテンツ（コンテンツデータＣＤ）を受信するコンテンツ受信部（無線通信部２０１）と、前記コンテンツ受信部が受信した前記コンテンツによって構成されるコンテンツ（コンテンツＣ）をリアルタイム再生するコンテンツ再生部（コンテンツ再生部２０５）と、所定の画像を表示する表示部（表示部２１７）とを備える無線通信装置（例えば、無線通信端末２００Ａ）であって、前記コンテンツ再生部によって現在再生されている前記単位コンテンツが、前記コンテンツの何れの位置に該当するかを特定する再生位置特定情報を取得する情報取得部（コンテンツ情報取得部２０７）と、前記情報取得部が取得した前記再生位置特定情報を用いて、前記コンテンツ再生部によって現在再生されている前記単位コンテンツが、前記コンテンツの何れの位置に該当するかを示す現在再生位置（画像Ｐ１）を前記表示部に表示させる表示処理部（制御部２０３）とを備えることを要旨とする。
【００１０】
このような無線通信装置によれば、現在再生されている単位コンテンツが、当該コンテンツの先頭から最後尾までの間における何れの位置に該当するかを特定することができる再生位置特定情報が取得される。さらに、再生位置特定情報を用いて、コンテンツ再生部によって現在再生されている単位コンテンツが、当該コンテンツの先頭から最後尾までの間における何れの位置に該当するかを示す現在再生位置が表示部に表示される。
【００１１】
このため、無線通信装置のユーザは、複数の宛先に向けて送信される同一のコンテンツを受信して再生する場合において、特に、既に送信が開始されているコンテンツを途中から受信する場合でも、当該コンテンツの全体（先頭〜最後尾）の中における現在の再生位置を容易に認識することができる。
【００１２】
本発明の第２の特徴は、本発明の第１の特徴に係り、前記単位コンテンツは、シーケンス番号（シーケンス番号ＳＮ）を含み、前記情報取得部は、前記シーケンス番号、及び前記コンテンツの全体時間を示すコンテンツ時間情報を、前記再生位置特定情報として取得することを要旨とする。
【００１３】
本発明の第３の特徴は、本発明の第２の特徴に係り、前記単位コンテンツは、前記コンテンツを識別するコンテンツ識別子（コンテンツ識別子ＣＩＤ）をさらに含み、前記情報取得部は、前記コンテンツ識別子と、前記コンテンツの送信スケジュールとが対応付けられた番組データ（例えば、番組データＰＤ１）を取得し、取得した前記番組データから前記コンテンツ時間情報を取得することを要旨とする。
【００１４】
本発明の第４の特徴は、本発明の第１の特徴に係り、前記コンテンツ受信部が受信した前記コンテンツに伝送エラーが含まれている場合、前記情報取得部は、前記伝送エラーが含まれる前記単位コンテンツが前記コンテンツの何れの位置に該当するかを特定するエラー位置特定情報を取得し、前記表示処理部は、前記エラー位置特定情報を用いて、前記伝送エラーが含まれている前記単位コンテンツが前記コンテンツの何れの位置に該当するかを示すエラー位置を前記表示部に表示させることを要旨とする。
【００１５】
本発明の第５の特徴は、本発明の第１の特徴に係り、前記コンテンツ受信部が受信した前記コンテンツデータを記憶するコンテンツ記憶部（記憶部２１３）をさらに備え、前記表示処理部は、前記コンテンツにおける前記コンテンツ記憶部に記憶済みの領域を前記表示部に表示させることを要旨とする。
【００１６】
本発明の第６の特徴は、本発明の第１の特徴に係り、前記無線基地局から、前記無線基地局と異なる他無線基地局（例えば、無線基地局１１０Ｂ）にハンドオフする可能性があることを検出するハンドオフ検出部（ハンドオフ処理部２０９）と、前記ハンドオフ検出部によって前記可能性が検出された場合、前記コンテンツ受信部による前記コンテンツの受信ができなくなる可能性があることを報知する報知部（表示部２１７）とをさらに備えることを要旨とする。
【００１７】
本発明の第７の特徴は、複数の単位コンテンツから構成され、無線基地局から同時に複数の宛先に向けて送信されるコンテンツを受信するコンテンツ受信部と、前記コンテンツ受信部が受信した前記コンテンツをリアルタイム再生するコンテンツ再生部と、所定の画像を表示する表示部とを備える無線通信装置を用いた再生位置表示方法であって、前記コンテンツ再生部によって現在再生されている前記単位コンテンツが、前記コンテンツの何れの位置に該当するかを特定する再生位置特定情報を取得するステップ（例えば、ステップＳ５０）と、取得した前記再生位置特定情報を用いて、前記コンテンツ再生部によって現在再生されている前記単位コンテンツが、前記コンテンツの何れの位置に該当するかを示す現在再生位置を前記表示部に表示させるステップ（例えば、ステップＳ８０）とを備えることを要旨とする。
【００１８】
本発明の第８の特徴は、本発明の第７の特徴に係り、前記単位コンテンツは、シーケンス番号を含み、前記再生位置特定情報を取得するステップでは、前記シーケンス番号、及び前記コンテンツの全体時間を示すコンテンツ時間情報を、前記再生位置特定情報として取得することを要旨とする。
【００１９】
本発明の第９の特徴は、本発明の第８の特徴に係り、前記単位コンテンツは、前記コンテンツを識別するコンテンツ識別子をさらに含み、前記再生位置特定情報を取得するステップでは、前記コンテンツ識別子と、前記コンテンツの送信スケジュールとが対応付けられた番組データを取得し、取得した前記番組データから前記コンテンツ時間情報を取得することを要旨とする。
【００２０】
本発明の第１０の特徴は、本発明の第７乃至第９の特徴に係り、前記コンテンツ受信部が受信した前記コンテンツに伝送エラーが含まれている場合、前記再生位置特定情報を取得するステップでは、前記伝送エラーが含まれる前記単位コンテンツが前記コンテンツの何れの位置に該当するかを特定するエラー位置特定情報を取得し、前記表示部に表示させるステップでは、前記エラー位置特定情報を用いて、前記伝送エラーが含まれている前記単位コンテンツが前記コンテンツの何れの位置に該当するかを示すエラー位置を前記表示部に表示させることを要旨とする。
【００２１】
本発明の第１１の特徴は、本発明の第７の特徴に係り、前記コンテンツ受信部が受信した前記コンテンツを記憶するステップ（ステップＳ２２０）をさらに備え、前記表示部に表示するステップでは、前記コンテンツにおける前記コンテンツ記憶部に記憶済みの領域を前記表示部に表示させることを要旨とする。
【００２２】
本発明の第１２の特徴は、本発明の第７の特徴に係り、前記無線基地局から、前記無線基地局と異なる他無線基地局にハンドオフする可能性があることを検出するステップ（ステップＳ３２０）と、前記検出するステップにおいて前記可能性が検出された場合、前記コンテンツ受信部による前記コンテンツの受信ができなくなる可能性があることを報知するステップと（ステップＳ３３０）をさらに備えることを要旨とする。
【発明の効果】
【００２３】
本発明の特徴によれば、複数の宛先に向けて送信される同一のコンテンツを受信して再生する場合において、当該コンテンツの全体の中における現在の再生位置を表示することができる無線通信装置及び再生位置表示方法を提供することができる。
【発明を実施するための最良の形態】
【００２４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきものである。また、図面相互間においても互いの寸法の関係や比率が異なる部分が含まれていることは勿論である。
【００２６】
（移動体通信システムの全体概略構成）
図１は、本実施形態に係る無線通信装置を含む移動体通信システム１０の全体概略構成図である。
【００２７】
移動体通信システム１０は、符号分割多元接続（ＣＤＭＡ）を用いた移動体通信システムである。移動体通信システム１０では、無線基地局１１０Ａ，１１０Ｂと、無線通信端末２００Ａ，２００Ｂとの間において、無線通信が実行される。なお、移動体通信システム１０を構成する無線基地局及び無線通信端末の数は、図１に示した数に限定されるものではない。
【００２８】
無線通信端末２００Ａ，２００Ｂ（無線通信装置）は、携帯電話端末である。無線通信端末２００Ａ，２００Ｂは、動画像などによって構成されるコンテンツデータＣＤ（図７参照）を、トラフィックチャネルＴＣＨを介して受信する機能を備える。
【００２９】
具体的には、無線通信端末２００Ａ，２００Ｂは、ＢＣＭＣＳ（broadcast/multicast services）の仕様にしたがい、ブロードキャストやマルチキャストを用いて複数の宛先に向けて同時に送信される同一内容のコンテンツＣ（図７参照）を受信することができる。
【００３０】
無線基地局１１０Ａ（または１１０Ｂ）は、無線通信端末２００Ａまたは無線通信端末２００Ｂによって送信されたコンテンツ送信要求に応じて、或いはコンテンツデータＣＤの送信スケジュールにしたがって、コンテンツＣを送信する。
【００３１】
また、本実施形態では、自動車５０に搭載されるカーナビゲーションシステム（不図示）に接続される無線通信カードモジュール２５０も、カーナビゲーションシステムと連携することによって、無線通信端末２００Ａ，２００Ｂと同様の機能を提供することができる。
【００３２】
無線基地局１１０Ａ、ＢＣＭＣＳコントローラ１２０及びコンテンツサーバ１３０は、通信ネットワーク１００によって接続される。
【００３３】
ＢＣＭＣＳコントローラ１２０は、コンテンツサーバ１３０に格納されているコンテンツＣの無線通信端末２００Ａ，２００Ｂ及び無線通信カードモジュール２５０への送信を制御する。具体的には、ＢＣＭＣＳコントローラ１２０は、コンテンツデータＣＤごとの送信時刻や、ＢＣＭＣＳによるコンテンツデータＣＤの送信経路の制御などを実行する。
【００３４】
（無線通信装置の論理ブロック構成）
図２は、本実施形態に係る無線通信装置を構成する無線通信端末２００Ａの機能ブロック構成図である。
【００３５】
図２に示すように、無線通信端末２００Ａは、無線通信部２０１、制御部２０３、コンテンツ再生部２０５、コンテンツ情報取得部２０７、ハンドオフ処理部２０９、エラー処理部２１１、記憶部２１３、操作部２１５及び表示部２１７を備える。
【００３６】
無線通信端末２００Ｂも無線通信端末２００Ａと同様の機能ブロック構成を有する。また、無線通信カードモジュール２５０（図１参照）は、操作部２１５及び表示部２１７を備えていないが、当該機能は、自動車５０に搭載されるカーナビゲーションシステム（不図示）によって提供される。
【００３７】
また、以下、本発明との関連がある部分について主に説明する。したがって、無線通信端末２００Ａは、無線通信端末２００Ａとしての機能を実現する上で必須な、図示しない或いは説明を省略した論理ブロック（電源部など）を備える場合があることに留意されたい。
【００３８】
無線通信部２０１は、ＣＤＭＡにしたがった無線信号を送受信する。特に、本実施形態では、無線通信部２０１は、無線基地局（例えば、無線基地局１１０Ａ）から複数の宛先に向けて送信されるコンテンツＣを、トラフィックチャネルＴＣＨを介して順次受信する。本実施形態において、無線通信部２０１は、コンテンツ受信部を構成する。
【００３９】
図７は、コンテンツＣを構成するコンテンツデータＣＤの構成図である。図７に示すように、コンテンツＣは、複数の単位コンテンツＵにから構成される。具体的には、単位コンテンツＵは、ヘッダ情報ＨＤを含むコンテンツデータＣＤによって構成される。
【００４０】
ヘッダ情報ＨＤは、コンテンツデータＣＤごとに割り当てられるシーケンス番号ＳＮ、及びコンテンツＣを識別するコンテンツ識別子ＣＩＤを含む。コンテンツ識別子ＣＩＤは、コンテンツＣの名称（番組名）などによって構成される。なお、コンテンツ識別子ＣＩＤは、必ずしもすべてのコンテンツＣのヘッダ情報ＨＤに含まれていなくてもよい。
【００４１】
また、シーケンス番号ＳＮは、コンテンツデータＣＤごとではなく、複数のコンテンツデータＣＤごとに割り当てるようにしてもよい。或いは、コンテンツデータＣＤがカプセリングするＩＰパケットやストリーミング用プロトコルなどによって付与されるシーケンス番号を用いてもよい。
【００４２】
制御部２０３は、無線通信端末２００Ａの各機能ブロックを制御する。特に、本実施形態では、制御部２０３は、コンテンツ再生部２０５によって現在再生されているコンテンツＣの部分、具体的には、単位コンテンツＵが、コンテンツＣの先頭から最後尾までの間における何れの位置に該当するかを示す“現在再生位置”を表示部２１７に表示させる（図８参照）。
【００４３】
また、制御部２０３は、コンテンツＣにおける記憶部２１３に記憶済みの領域を表示部２１７に表示させることができる。
【００４４】
具体的には、制御部２０３は、コンテンツ情報取得部２０７が取得した再生位置特定情報、本実施形態では、シーケンス番号ＳＮ、コンテンツ識別子ＣＩＤ、及び番組データＰＤ１，ＰＤ２（図９（ａ），（ｂ）参照）に基づいて、コンテンツ再生部２０５によって現在再生されているコンテンツＣの現在再生位置を表示部２１７に表示させる。
【００４５】
本実施形態において、制御部２０３は、表示処理部を構成する。なお、コンテンツＣの現在再生位置の具体的な表示方法については、後述する。
【００４６】
また、制御部２０３は、操作部２１５がコンテンツＣの再生の停止を要求する停止要求を受け付けたときに、コンテンツＣの全体が記憶部２１３に記憶されていない場合、コンテンツＣの全体が記憶部２１３に記憶されるまで、無線通信部２０１が受信したコンテンツデータＣＤの記憶部２１３への記憶を継続することができる。
【００４７】
コンテンツ再生部２０５は、無線通信部２０１が受信したコンテンツデータＣＤによって構成されるコンテンツＣをリアルタイム再生する。具体的には、コンテンツ再生部２０５は、コンテンツデータＣＤを復号し、コンテンツＣを表示部２１７に表示させる。
【００４８】
コンテンツ情報取得部２０７は、コンテンツ再生部２０５によって現在再生されているコンテンツＣの部分（単位コンテンツＵ）が、コンテンツＣの先頭から最後尾までの間における何れの位置に該当するかを特定する再生位置特定情報を取得する。本実施形態において、コンテンツ情報取得部２０７は、情報取得部を構成する。
【００４９】
本実施形態では、コンテンツ情報取得部２０７は、シーケンス番号ＳＮ、コンテンツ識別子ＣＩＤ（図７参照）、及び番組データＰＤ１，ＰＤ２（図９（ａ），（ｂ）参照）を取得する。
【００５０】
図９（ａ）及び（ｂ）は、複数のコンテンツＣと、コンテンツＣを識別するコンテンツ識別子ＣＩＤと、コンテンツＣの送信スケジュールとが対応付けられる番組データの例を示す。
【００５１】
番組データＰＤ１は、６：００〜８：００の間に、配信時間が３分である「今日の天気」が繰り返し送信されること、及び８：００〜１０：００の間に、配信時間が１０分である「今朝のニュース」が繰り返し送信されることを示す。
【００５２】
番組データＰＤ２は、６：００〜８：００の間に、１チャネル（１ｃｈ）において、配信時間が３分である「今日の天気」が繰り返し送信されること、及び２チャネル（２ｃｈ）において、配信時間が１０分である「おすすめ情報」が繰り返し送信されることを示す。
【００５３】
コンテンツ情報取得部２０７は、番組データＰＤ１や番組データＰＤ２を取得し、取得した番組データから、コンテンツＣの先頭から最後尾までの全体時間（コンテンツ時間情報）を取得する。例えば、コンテンツ情報取得部２０７は、「今日の天気」であれば、全体時間が３分であることを取得する。
【００５４】
また、コンテンツ情報取得部２０７は、無線通信部２０１が受信したコンテンツＣに伝送エラーが含まれている場合、伝送エラーが含まれる単位コンテンツＵがコンテンツＣの何れの位置に該当するかを特定するエラー位置特定情報を取得することができる。具体的には、コンテンツ情報取得部２０７は、伝送エラーが含まれる単位コンテンツＵの情報（例えば、シーケンス番号ＳＮ）をエラー処理部２１１から受信し、エラー位置特定情報を取得する。
【００５５】
ハンドオフ処理部２０９は、無線通信端末２００Ａのハンドオフに関する処理を実行する。特に、本実施形態では、無線通信端末２００Ａが受信しているコンテンツデータＣＤの送信元の無線基地局（例えば、無線基地局１１０Ａ）から、当該無線基地局と異なる他無線基地局（例えば、無線基地局１１０Ｂ）にハンドオフする可能性があることを検出する。本実施形態において、ハンドオフ処理部２０９は、ハンドオフ検出部を構成する。
【００５６】
エラー処理部２１１は、無線通信部２０１が受信したコンテンツデータＣＤによって構成されるコンテンツＣに伝送エラーに関する処理を実行する。特に、本実施形態では、エラー処理部２１１は、コンテンツＣに伝送エラーが含まれている場合、伝送エラーが含まれている単位コンテンツＵを再受信することができる。つまり、エラー処理部２１１は、伝送エラーが含まれない単位コンテンツＵについては再受信しない。
【００５７】
また、エラー処理部２１１は、伝送エラーが含まれる単位コンテンツＵの情報（例えば、シーケンス番号ＳＮ）をコンテンツ情報取得部２０７に送信することができる。
【００５８】
記憶部２１３は、無線通信部２０１が受信したコンテンツデータＣＤなどを記憶する。本実施形態において、記憶部２１３は、コンテンツ記憶部を構成する。
【００５９】
操作部２１５は、無線通信端末２００Ａのユーザによって操作される各種キーなどの操作デバイスによって構成される。特に、本実施形態では、操作部２１５は、コンテンツＣの再生を停止する停止要求を受け付ける。
【００６０】
表示部２１７は、小型の表示機によって構成される。表示部２１７は、制御部２０３による制御に基づいて所定の情報を表示する。
【００６１】
特に、本実施形態では、表示部２１７は、コンテンツ再生部２０５によって現在再生されているコンテンツＣの現在再生位置を表示部２１７の下部に形成されたコンテンツ再生状態表示領域Ａ１（図８参照）に表示する。さらに、表示部２１７は、コンテンツ再生状態表示領域Ａ１において、伝送エラーを含む単位コンテンツＵの位置（エラー位置）や、既に記憶部２１３に記憶されたコンテンツＣの領域を表示することができる。
【００６２】
また、表示部２１７は、ハンドオフ処理部２０９によって他無線基地局にハンドオフする可能性が検出された場合、無線通信部２０１によるコンテンツデータＣＤの受信ができなくなる可能性があることをユーザに報知することができる。本実施形態において、表示部２１７は、報知部を構成する。
【００６３】
（無線通信装置の動作）
次に、上述した無線通信端末２００Ａの動作について説明する。具体的には、（１）コンテンツＣの現在再生位置の表示動作、（２）コンテンツデータＣＤの受信時にエラーが発生した場合の動作、（３）コンテンツＣの再生停止要求が行われた場合の動作、及び（４）コンテンツデータＣＤの送信元の無線基地局から他無線基地局にハンドオフする可能性がある場合の動作、について説明する。
【００６４】
（１）コンテンツＣの現在再生位置の表示動作
図３は、無線通信端末２００ＡによるコンテンツＣの現在再生位置の表示動作フロー図である。図３に示すように、ステップＳ１０において、無線通信端末２００Ａは、コンテンツＣの番組データを受信済みか否かを判定する。具体的には、無線通信端末２００Ａは、図９（ａ）に示す番組データＰＤ１または図９（ｂ）に示す番組データＰＤ２を既に受信しているか否かを判定する。
【００６５】
番組データを受信済みでない場合（ステップＳ１０のＮＯ）、ステップＳ２０において、無線通信端末２００Ａは、ユーザが視聴するコンテンツＣ（例えば、「今日の天気」）のコンテンツ識別子ＣＩＤを取得する。
【００６６】
ステップＳ３０において、無線通信端末２００Ａは、取得したコンテンツＣのコンテンツ識別子ＣＩＤに基づいて、コンテンツＣに関連する番組データ（例えば、番組データＰＤ１）、またはコンテンツＣの全体時間（３分間）を示す情報をコンテンツサーバ１３０から受信する。
【００６７】
番組データを受信した場合（ステップＳ３０の“番組データ”）、ステップＳ４０において、無線通信端末２００Ａは、受信した番組データＰＤ１の内容に基づいて、コンテンツＣの全体時間（３分間）を取得する。
【００６８】
コンテンツＣの全体時間を示す情報を受信した場合（ステップＳ３０の“全体時間”）、ステップＳ５０において、無線通信端末２００Ａは、受信した当該情報に基づいて、コンテンツＣの全体時間（３分間）を取得する。この場合、無線通信端末２００Ａ（コンテンツ情報取得部２０７）は、シーケンス番号ＳＮ、及びコンテンツＣの全体時間を示す情報（コンテンツ時間情報）を再生位置特定情報として用いる。
【００６９】
ステップＳ６０において、無線通信端末２００Ａは、受信したコンテンツデータＣＤに含まれるシーケンス番号ＳＮ（図７参照）を取得する。
【００７０】
ステップＳ７０において、無線通信端末２００Ａは、取得したシーケンス番号ＳＮ、及びコンテンツＣの全体時間（３分間）に基づいて、コンテンツＣの再生経過時間を演算する。
【００７１】
具体的には、無線通信端末２００Ａは、シーケンス番号ＳＮの値に基づいて、現在再生しているコンテンツＣが、全体時間、つまり、コンテンツＣの先頭から最後尾までの間において、何れの位置に該当するかを決定する。なお、シーケンス番号ＳＮは、一定の基準（例えば、コンテンツデータＣＤごとや、所定数のコンテンツデータＣＤごとにインクリメントする）にしたがって付与されているものとする。
【００７２】
ステップＳ８０において、無線通信端末２００Ａは、演算した再生経過時間に基づいて、コンテンツＣの“現在再生位置”を表示する。
【００７３】
ここで、図８は、ステップＳ８０において無線通信端末２００Ａの表示部２１７に表示される画面例を示す。図８に示すように、表示部２１７の下部には、コンテンツ再生状態表示領域Ａ１が形成される。コンテンツ再生状態表示領域Ａ１の左端部は、コンテンツＣの先頭位置と対応する。コンテンツ再生状態表示領域Ａ１の右端部は、コンテンツＣの最後尾と対応する。
【００７４】
画像Ｐ１は、表示部２１７において現在再生されているコンテンツＣの現在再生位置、つまり、現在再生されているコンテンツＣの部分が、コンテンツＣの先頭から最後尾までの間において何れの位置に該当するかを示す画像である。
【００７５】
無線通信端末２００Ａのユーザは、画像Ｐ１、及び左端部がコンテンツＣの先頭位置に、コンテンツ再生状態表示領域Ａ１の右端部がコンテンツＣの最後尾に対応していることに基づいて、表示部２１７において現在再生されているコンテンツＣの現在再生位置を認識することができる。
【００７６】
画像Ｐ２は、無線通信端末２００Ａが未受信であるコンテンツＣの部分を示す。画像Ｐ３は、無線通信端末２００Ａが既に受信し、記憶部２１３に記憶したコンテンツＣの部分を示す。なお、無線通信端末２００Ａが、既に無線基地局（例えば、無線基地局１１０Ａ）による送信が開始されているコンテンツＣを途中（図中の符号Ｓ）から受信を開始した場合、画像Ｐ３のように、現在再生位置を示す画像Ｐ１よりも右側、つまり、現在再生位置よりも後に位置するコンテンツＣの部分が、既に記憶部２１３に記憶されている場合もある。
【００７７】
（２）コンテンツデータＣＤの受信時にエラーが発生した場合の動作
図４は、コンテンツの受信時にエラー（具体的には、伝送エラー）が発生した場合における無線通信端末２００Ａの動作フロー図である。図４に示すように、ステップＳ１１０において、無線通信端末２００Ａは、受信したコンテンツデータＣＤにエラーが発生したか否かを所定の周期で判定する。
【００７８】
コンテンツデータＣＤにエラーが発生した場合（ステップＳ１１０のＹＥＳ）、ステップＳ１２０において、無線通信端末２００Ａは、エラーが発生した箇所（具体的には、どの単位コンテンツＵにおいてエラーが発生したか）を記憶する。
【００７９】
次いで、ステップＳ１３０において、無線通信端末２００Ａは、コンテンツＣを構成するすべてのコンテンツデータＣＤの受信が完了したか否かを判定する。
【００８０】
すべてのコンテンツデータＣＤの受信が完了した場合（ステップＳ１３０のＹＥＳ）、ステップＳ１４０において、無線通信端末２００Ａは、コンテンツデータＣＤにエラーが含まれているか否かを判定する。
【００８１】
すべてのコンテンツデータＣＤの受信が完了していない場合（ステップＳ１３０のＮＯ）、無線通信端末２００Ａは、ステップＳ１１０からの処理を繰り返す。
【００８２】
コンテンツデータＣＤにエラーが含まれている場合（ステップＳ１４０のＹＥＳ）、ステップＳ１５０において、無線通信端末２００Ａは、コンテンツＣにエラーが含まれていること、及びエラー部分、具体的にはエラーを含む単位コンテンツＵの再受信の要否を表示する。なお、無線通信端末２００Ａは、コンテンツ再生状態表示領域Ａ１（図８参照）において、伝送エラーを含む単位コンテンツＵの位置（エラー位置）を表示してもよい。
【００８３】
ここで、図１０（ａ）は、ステップＳ１５０において表示される画面例を示す。図１０（ａ）に示すように、ユーザは、当該画面例に基づいて、エラーを含む単位コンテンツＵの再受信の要否を決定する。
【００８４】
一方、コンテンツデータＣＤにエラーが含まれていない場合（ステップＳ１４０のＮＯ）、無線通信端末２００Ａは、処理を終了する。
【００８５】
ステップＳ１６０において、無線通信端末２００Ａは、ユーザによるエラー部分の再受信の要求があったか否かを判定する。
【００８６】
エラー部分の再受信の要求があった場合（ステップＳ１６０のＹＥＳ）、ステップＳ１７０において、無線通信端末２００Ａは、当該エラーを含む単位コンテンツＵを再受信する。さらに、無線通信端末２００Ａは、再受信した部分（単位コンテンツＵ）を記憶部２１３に記憶する。
【００８７】
一方、エラー部分の再受信の要求がない場合（ステップＳ１６０のＮＯ）、無線通信端末２００Ａは、処理を終了する。
【００８８】
なお、図４に示した動作フローでは、コンテンツＣを構成するコンテンツデータＣＤが繰り返し送信されることを前提とし、エラーを含む単位コンテンツＵを再受信する形態としているが、コンテンツデータＣＤが繰り返し送信されない場合、無線通信端末２００Ａは、エラーを含む単位コンテンツＵの再送をコンテンツサーバ１３０に要求してもよい。
【００８９】
（３）コンテンツＣの再生停止要求が行われた場合の動作
図５は、コンテンツＣの再生停止要求が行われた場合の動作における無線通信端末２００Ａの動作フロー図である。図５に示すように、ステップＳ２１０において、無線通信端末２００Ａは、無線基地局（例えば、無線基地局１１０Ａ）によって送信されたコンテンツデータＣＤを受信する。
【００９０】
ステップＳ２２０において、無線通信端末２００Ａは、受信したコンテンツデータＣＤを記憶部２１３に記憶する。
【００９１】
ステップＳ２３０において、無線通信端末２００Ａは、受信したコンテンツデータＣＤを用いて、コンテンツＣを再生する。具体的には、無線通信端末２００Ａは、コンテンツデータＣＤを復号し、表示部２１７に動画像を表示したり、スピーカ（不図示）からオーディオ信号を出力したりする。
【００９２】
ステップＳ２４０において、無線通信端末２００Ａは、コンテンツＣの再生停止要求を受け付けたか否かを判定する。具体的には、無線通信端末２００Ａは、ユーザが操作部２１５を用いて所定の操作を実行することによって、コンテンツＣの再生停止要求を受け付ける。
【００９３】
コンテンツＣの再生停止要求を受け付けた場合（ステップＳ２４０のＹＥＳ）、ステップＳ２５０において、無線通信端末２００Ａは、コンテンツＣの再生を停止する。
【００９４】
コンテンツＣの再生停止要求がない場合（ステップＳ２４０のＮＯ）、無線通信端末２００Ａは、ステップＳ２３０からの処理を繰り返す。
【００９５】
ステップＳ２６０において、無線通信端末２００Ａは、コンテンツＣを構成するすべてのコンテンツデータＣＤが受信済みであるか否かを判定する。
【００９６】
すべてのコンテンツデータＣＤが受信済みでない場合（ステップＳ２６０のＮＯ）、ステップＳ２７０において、無線通信端末２００Ａは、コンテンツＣを構成するコンテンツデータＣＤの受信及び記憶を継続する。すなわち、コンテンツＣの全体が記憶されるまで受信を継続する。なお、コンテンツデータＣＤの受信及び記憶を継続するか否かをユーザに確認するようにしてもよい。
【００９７】
一方、すべてのコンテンツデータＣＤが受信済みである場合（ステップＳ２６０のＹＥＳ）、無線通信端末２００Ａは、コンテンツＣを構成するコンテンツデータＣＤの受信を継続することなく、処理を終了する。
【００９８】
（４）他無線基地局にハンドオフする可能性がある場合の動作
図６は、他無線基地局にハンドオフする可能性がある場合における無線通信端末２００Ａの動作フロー図である。図５に示すように、ステップＳ３１０において、無線通信端末２００Ａは、コンテンツデータＣＤを受信する。
【００９９】
ステップＳ３２０において、無線通信端末２００Ａは、コンテンツデータＣＤを送信する無線基地局１１０Ａからの無線信号の受信信号強度（ＲＳＳＩ）が所定の閾値以下か否か判定する。
【０１００】
ＲＳＳＩが所定の閾値以下の場合（ステップＳ３２０のＹＥＳ）、ステップＳ３３０において、無線通信端末２００Ａは、無線基地局１１０Ａから他無線基地局（例えば、無線基地局１１０Ｂ）にハンドオフする可能性があると判定し、ユーザに移動の中止を促す警告を表示する。
【０１０１】
ここで、図１０（ｂ）は、ステップＳ３３０において表示される画面例を示す。図１０（ｂ）に示すように、ユーザは、当該画面例に基づいて、ハンドオフする可能性があること、及び当該ハンドオフによってコンテンツデータＣＤの受信が継続できなくなることを認識する。
【０１０２】
次いで、ステップＳ３４０において、無線通信端末２００Ａは、コンテンツＣを構成するすべてのコンテンツデータＣＤの受信が完了したか否かを判定する。
【０１０３】
すべてのコンテンツデータＣＤの受信が完了した場合（ステップＳ３４０のＹＥＳ）、無線通信端末２００Ａは、処理を終了する。
【０１０４】
一方、すべてのコンテンツデータＣＤの受信が完了していない場合（ステップＳ３４０のＮＯ）、無線通信端末２００Ａは、ステップＳ３１０からの処理を繰り返す。
【０１０５】
（作用・効果）
無線通信端末２００Ａによれば、現在再生されている単位コンテンツＵの部分が、コンテンツＣの先頭から最後尾までの間における何れの位置に該当するかを特定することができる再生位置特定情報（シーケンス番号ＳＮ、コンテンツ識別子ＣＩＤ及び番組データＰＤ１，ＰＤ２）が取得される。
【０１０６】
さらに、再生位置特定情報を用いて、コンテンツ再生部２０５によって現在再生されている単位コンテンツＵが、コンテンツＣの先頭から最後尾までの間における何れの位置に該当するかを示す現在再生位置が表示部２１７に表示される。
【０１０７】
このため、無線通信端末２００Ａのユーザは、複数の宛先に向けて送信されるコンテンツＣを受信して再生する場合において、特に、既に送信が開始されているコンテンツＣを途中から受信する場合でも、コンテンツＣの全体（先頭〜最後尾）の中における現在の再生位置を容易に認識することができる。
【０１０８】
無線通信端末２００Ａによれば、コンテンツＣは、複数の単位コンテンツＵに分割されているため、コンテンツＣの受信時に伝送エラーが発生した場合には、エラー部分を含む単位コンテンツＵのみを再受信することができる。
【０１０９】
つまり、無線通信端末２００Ａによれば、エラー部分を含む単位コンテンツＵの再受信後には、トラフィックチャネルＴＣＨなどの無線リソースを開放することができるため、無線リソースを効率的に利用することができる。
【０１１０】
無線通信端末２００Ａによれば、ユーザのコンテンツＣの再生を停止する停止要求を受け付けたときに、コンテンツＣの全体が記憶部２１３に記憶されていない場合、コンテンツＣの全体が記憶部２１３に記憶されるまで、無線通信部２０１が受信したコンテンツＣの記憶部２１３への記憶が継続される。
【０１１１】
このため、ユーザが意識することなく、コンテンツＣの全体を記憶部２１３に記憶させ、コンテンツＣの全体が記憶部２１３に記憶された後は、無線リソースを用いることなく、ユーザの要求に応じて、記憶部２１３に記憶されたコンテンツＣを再生することができる。
【０１１２】
無線通信端末２００Ａによれば、コンテンツデータＣＤを送信する無線基地局１１０Ａから他無線基地局にハンドオフする可能性が検出された場合、コンテンツデータＣＤの受信ができなくなる可能性があることがユーザに報知される。
【０１１３】
コンテンツデータＣＤの受信ができなくなる可能性があることが予めユーザに報知されると、コンテンツＣの再生を継続したいユーザは、移動することを中止するため、無線通信端末２００Ａは、より確実にコンテンツデータＣＤを受信することができる。
【０１１４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１１５】
例えば、コンテンツＣの現在再生位置の表示方法は、次のように変更することができる。図１１は、無線通信端末２００Ａによる現在再生位置の表示動作の変更例を示す。また、図１２は、本変更例に係るコンテンツＣ１を構成するコンテンツデータＣＤ１の構成図である。なお、以下、上述した本発明の実施形態と異なる部分について主に説明する。
【０１１６】
図１１に示すように、ステップＳ４１０において、無線通信端末２００Ａは、無線通信端末２００Ａは、無線基地局（例えば、無線基地局１１０Ａ）によって送信されたコンテンツデータＣＤを受信する。
【０１１７】
ステップＳ４２０において、無線通信端末２００Ａは、受信したコンテンツデータＣＤに含まれるシーケンス番号ＳＮを取得する。
【０１１８】
ステップＳ４３０において、無線通信端末２００Ａは、取得したシーケンス番号ＳＮ及び単位コンテンツＵの再生単位時間に基づいて、コンテンツＣの再生経過時間を演算する。
【０１１９】
具体的には、無線通信端末２００Ａは、シーケンス番号ＳＮ（例えば、コンテンツデータＣＤごとや、所定数のコンテンツデータＣＤごとにインクリメントする）、及び単位コンテンツＵの再生単位時間（例えば、１秒間）に基づいて、コンテンツＣの再生経過時間を演算する。例えば、コンテンツデータＣＤのシーケンス番号ＳＮが１００である場合、再生しているコンテンツデータＣＤは、コンテンツＣの先頭から１００秒経過しているものと演算する。
【０１２０】
ステップＳ４４０において、無線通信端末２００Ａは、演算した再生経過時間に基づいて、コンテンツＣの現在再生位置を表示する。なお、表示部２１７での現在再生位置の表示方法は、上述した本発明の実施形態（図３のステップＳ８０参照）と同様である。
【０１２１】
また、コンテンツデータＣＤの中に、コンテンツＣの先頭から最後尾までの間において何れの位置に該当するかを示す直接示す情報（例えば、“１分００秒〜１分１秒／３分００秒”）を含めるようにしてもよい。
【０１２２】
さらに、コンテンツデータＣＤのシーケンス番号ＳＮ（例えば、１００）と、コンテンツＣの先頭及び最後尾のコンテンツデータＣＤのシーケンス番号ＳＮ（例えば、先頭＝１、最後尾＝１０００）とに基づき、コンテンツＣの現在再生位置を演算（例えば、（１００−１）／（１０００−１）し、表示してもよい。
【０１２３】
上述した実施形態における“現在再生位置”の表示方法は一例であり、例えば、コンテンツＣの全体時間、及びコンテンツＣの先頭からの経過時間を表示することで現在再生位置を表示してもよい。
【０１２４】
上述した実施形態では、コンテンツデータＣＤの送信にトラフィックチャネルＴＣＨを用いる形態としたが、コンテンツデータＣＤの送信には、他のチャネル（例えば、配信用のブロードキャストチャネル）を用いてもよい。
【０１２５】
上述した実施形態では、表示部２１７に特定の画像（図１０（ｂ）参照）を表示することによって、コンテンツデータＣＤの受信ができなくなる可能性があることを報知する形態としたが、バイブレータによる振動、或いは音響信号によって当該可能性を報知してもよい。
【０１２６】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１２７】
【図１】本発明の実施形態に係る移動体通信システムの全体概略構成図である。
【図２】本発明の実施形態に係る無線通信装置の機能ブロック構成図である。
【図３】本発明の実施形態に係る無線通信装置の動作フロー図である。
【図４】本発明の実施形態に係る無線通信装置の動作フロー図である。
【図５】本発明の実施形態に係る無線通信装置の動作フロー図である。
【図６】本発明の実施形態に係る無線通信装置の動作フロー図である。
【図７】本発明の実施形態に係るコンテンツデータの構成図である。
【図８】本発明の実施形態に係る無線通信装置において表示される画面例を示す図である。
【図９】本発明の実施形態に係る無線通信装置において表示される画面例を示す図である。
【図１０】本発明の実施形態に係る無線通信装置において表示される画面例を示す図である。
【図１１】本発明の変更例に係る無線通信装置の動作フロー図である。
【図１２】本発明の変更例に係るコンテンツデータの構成図である。
【符号の説明】
【０１２８】
１０…移動体通信システム、５０…自動車、１００…通信ネットワーク、１１０Ａ，１１０Ｂ…無線基地局、１２０…ＢＣＭＣＳコントローラ、１３０…コンテンツサーバ、２００Ａ，２００Ｂ…無線通信端末、２０１…無線通信部、２０３…制御部、２０５…コンテンツ再生部、２０７…コンテンツ情報取得部、２０９…ハンドオフ処理部、２１１…エラー処理部、２１３…記憶部、２１５…操作部、２１７…表示部、２５０…無線通信カードモジュール、Ａ１…コンテンツ再生状態表示領域、Ｃ，Ｃ１…コンテンツ、ＣＤ，ＣＤ１…コンテンツデータ、ＣＩＤ…コンテンツ識別子、ＨＤ…ヘッダ情報、Ｐ１〜Ｐ３…画像、ＰＤ１，ＰＤ２…番組データ、ＳＮ…シーケンス番号、ＴＣＨ…トラフィックチャネル、Ｕ…単位コンテンツ
【図１】
0005294538.tif 000002
【図２】
0005294538.tif 000003
【図３】
0005294538.tif 000004
【図４】
0005294538.tif 000005
【図５】
0005294538.tif 000006
【図６】
0005294538.tif 000007
【図７】
0005294538.tif 000008
【図８】
0005294538.tif 000009
【図９】
0005294538.tif 000010
【図１０】
0005294538.tif 000011
【図１１】
0005294538.tif 000012
【図１２】
0005294538.tif 000013